(57)【要約】【課題】衣服等への部分汚れ用洗剤の塗布が容易、かつ、確実に行われるようにする。【解決手段】  部分汚れ用洗剤の貯留部４と、前記貯留部４からの前記部分汚れ用洗剤３の自動塗布部１０と、前記自動塗布部１０の塗布位置に被洗浄物品３０が配置されたことを検知する検知部２０、２１とを備え、前記検知部２０２１での検知により前記自動塗布部１０によって前記被洗浄物品３０に前記部分汚れ用洗剤３を塗布する部分汚れ用洗剤の塗布装置。【選択図】図２
2016159074.tif 000002
【特許請求の範囲】
【請求項１】
部分汚れ用洗剤の貯留部と、前記貯留部からの前記部分汚れ用洗剤の自動塗布部と、前記自動塗布部の塗布位置に被洗浄物品が配置されたことを検知する検知部とを備え、前記検知部での検知により前記自動塗布部によって前記被洗浄物品に前記部分汚れ用洗剤を塗布することを特徴とする部分汚れ用洗剤の塗布装置。
【請求項２】
請求項１の部分汚れ用洗剤の塗布装置を備える洗濯機。
【発明の詳細な説明】
【技術分野】
【０００１】
この発明は、部分汚れ用洗剤の塗布装置および洗濯機に関する。
【背景技術】
【０００２】
シャツ等の衣服の場合、人体が接触する襟や袖に部分的に汚れが集中することが多い。また、食事の際にこぼれた食品が衣服に付着して部分的に汚れることがある。このような部分汚れは、通常の洗剤を使用して洗濯機で洗濯するだけでは取れにくく、したがって、洗濯に際しては前もって部分汚れ用洗剤を部分汚れに付着させ、その後に洗濯機に投入している。
【発明の概要】
【発明が解決しようとする課題】
【０００３】
上記の部分汚れ用洗剤としては、固形と液状のものがあるが、固形のものの場合衣服に塗り付けるのに手間がかかった。液状のものの場合で容器からプッシュ操作等で塗布する際、片手により衣服の汚れ部分を拡げることが行いにくく、汚れ部分に正確に洗剤を塗布するのには手間がかかった。
【０００４】
この発明は、衣服等への部分汚れ用洗剤の塗布が容易、かつ、確実に行われるようにすることを目的とする。
【課題を解決するための手段】
【０００５】
請求項１の発明では、部分汚れ用洗剤の貯留部と、前記貯留部からの前記部分汚れ用洗剤の自動塗布部と、前記自動塗布部の塗布位置に被洗浄物品が配置されたことを検知する検知部とを備え、前記検知部での検知により前記自動塗布部によって前記被洗浄物品に前記部分汚れ用洗剤を塗布することを特徴とする部分汚れ用洗剤の塗布装置を提供する。請求項２の発明では、請求項１の部分汚れ用洗剤の塗布装置を備える洗濯機を提供する。
【０００６】
請求項１の発明によれば、検知部で被洗浄物品が塗布位置に配置されたことが検知されると自動塗布部から部分汚れ用洗剤が塗布される。すなわち、被洗浄物品を塗布位置に持っていくだけでその汚れ部分に自動的に部分汚れ用洗剤が塗布される。その際、両手により被洗浄物品を拡げる状態で部分汚れ用洗剤を塗布できることで、汚れ部分への塗布が確実に行える。請求項２の発明の洗濯機は、請求項１の発明の部分汚れ用洗剤の塗布装置の機能を併せ持ち、部分汚れ用洗剤を塗布した被洗浄物品をそのまま投入して洗濯できる。
【０００７】
請求項１の発明において、貯留部は装置に固定状態に一体に設けられてもよく、
また、取り外し可能に装着されるタンク形態であってもよい。貯留部に貯留される部分汚れ用洗剤は泡状、ジェル状等適宜であってよい。自動塗布部は電動ポンプ、電磁弁等により適宜構成される。検知部は塗布位置に配置される被洗浄物品を検知する構成であれば適宜の構成であってもよく、例えば、被洗浄物品による光の遮断や反射光の有無を検知する構成とされる。
【０００８】
請求項２の発明において、部分汚れ用洗剤の塗布装置は洗濯機に一体に組み込まれてもよく、固定状態に取り付けられてもよく、また、着脱可能に装着される構成であってもよい。
【発明の効果】
【０００９】
請求項１の発明によれば、被服等への部分汚れ用洗剤の塗布が容易、かつ、正確に行えるようになり、請求項２の発明によれば、被服等への部分汚れ用洗剤の塗布が容易、かつ、正確に行える機能を併せ持ち、便利に使用される洗濯機が提供される。
【図面の簡単な説明】
【００１０】
【図１】請求項１の発明の部分汚れ用洗剤の塗布装置の実施形態における外観斜視図
【図２】請求項１の発明の部分汚れ用洗剤の塗布装置の実施形態における内部構成図
【図３】請求項２の発明の洗濯機の実施形態における外観斜視図
【発明を実施するための最良の形態】
【００１１】
図１は請求項１の発明の部分汚れ用洗剤の塗布装置の外観斜視図、図２は同内部構成図である。塗布装置１は機器本体２の上部に部分汚れ用洗剤３が貯留された貯留タンク（貯留部）４が装着されて構成されている。機器本体２は上部の本体部５と下部の台座部６とからなり、本体部５と台座部６の間を被洗浄物品の配置スペース８としている。本体部５は上部を上方が開放する貯留タンク４の装着スペース９とし、下部には部分汚れ用洗剤３の自動塗布機（自動塗布部）１０が配置されている。本体部５の自動塗布機１０の前方部分には透明パネル１２が装着され、自動塗布機１０の下方は開放部１６となっている。
【００１２】
自動塗布機１０は送液ポンプ構造を持ち、上部に液導入口１４が設けられ下部に吐出ノズル１５を備え、本体部５に内蔵される電池（図示省略）により作動されることで、液導入口１４から導入される部分汚れ用洗剤３を吐出ノズル１５から吐出する。吐出ノズル１５の吐出端は本体部５の開放部１６に臨んで位置する。
貯留タンク４はその注入部１９が自動塗布機１０の液導入口１４に差し込まれる状態で装着スペース９内に装着され、部分汚れ用洗剤３が使用により無くなると新たなものに取り換えられる。
【００１３】
本体部５と台座部６との吐出ノズル１５の後方の相対する位置には、電池作動によって検知部を構成する発光器２０と受光器２１とが設けられている。発光器２０からの照射光が被洗浄物品で遮断されて受光信号が得られない場合に受光器２１からその検知信号が自動塗布機１０に送られる。自動塗布機１０は制御部を備え、検知信号を受けるとその２秒後に吐出ノズル１５から部分汚れ用洗剤３の吐出を開始して継続し、被洗浄物品による遮断が解除されて検知信号が停止することで吐出を停止する。
【発明を実施するための形態】
【００１４】
上記塗布装置１の使用について説明する。汚れ部分３１の両側を持って被洗浄物品３０を配置スペース８に配置し、透明パネル１２を通して確認しながらその汚れ部分３１を吐出ノズル１５の下方に位置させる。被洗浄物品３０が検知された２秒後に自動塗布機１０が作動して吐出ノズル１５から部分汚れ用洗剤３が汚れ部分３１上に塗布され、配置スペース８内から被洗浄物品３０を取り出すことで吐出が停止される。汚れ部分３１が襟等にある場合は、配置スペース８内を横方向に移動させることで連続して汚れ部分３１への部分汚れ用洗剤３の塗布が行える。
【００１５】
上記のようにして、被洗浄物品３０を吐出ノズル１５下に持っていくだけでその汚れ部分３１に容易に部分汚れ用洗剤３の塗布が行える。両手により被洗浄物品３０を拡げる状態で部分汚れ用洗剤３を塗布できることで、汚れ部分３１へ塗布が確実に行える。また、透明パネル１２を通して見ながら吐出ノズル１５の汚れ部分３１への位置合わせが行えることで、汚れ部分３１への部分汚れ用洗剤３の塗布が正確に行える。また、発光器２０から受光器２１への照射光が被洗浄物品３０により遮断されて２秒後に部分汚れ用洗剤３の吐出が開始されることで、吐出ノズル１５位置に被洗浄物品３０を確実に位置させた段階で塗布が行われるので、部分汚れ用洗剤３が無駄に使用されることが回避される。
【００１６】
図３は請求項２の発明の洗濯機の外観斜視図である。洗濯機１００はその上部の前角部上に部分汚れ用洗剤の塗布装置１０１が一体に設けられている。自動塗布装置１０１は蓋１０２が開かれることでタンク部１０３内に部分汚れ用洗剤が供給できる構成となっており、その他構成は上記塗布装置１と同構成であって、同様に使用される。
【００１７】
衣服等の被洗浄物品への部分汚れ用洗剤の塗布は洗濯機による洗濯に先立って行う場合が多く、この洗濯機１００は、塗布装置１０１で部分汚れ用洗剤を塗布した被洗浄物品をそのまま投入することができるので非常に便利に用いられる。また、塗布装置１を別途配置するスペースも必要とせず、塗布装置１を常に洗濯機１００と一体として使用できる利点がある。
【符号の説明】
【００１８】
１  部分汚れ用洗剤の塗布装置
２  貯留タンク（貯留部）
３  自動塗布機（自動塗布部）
２０  発光器（検知部）
２１  受光器（検知部）
３０  被洗浄物品
３１  汚れ部分
１００  洗濯機
【図１】
2016159074.tif 000003
【図２】
2016159074.tif 000004
【図３】
2016159074.tif 000005